(57)【要約】【課題】  縦枠同士を方立で連結した建具の防火性能の向上。【解決手段】  サッシ枠１，１と、サッシ枠１，１の縦枠２，２同士を連結する方立３とを備え、縦枠２，２と方立３とは、互いに係合する爪６，１６を有し、縦枠２，２が方立３に係合しており、方立３と縦枠２，２の間には、縦枠２，２が方立３との係合が解除する方向に移動するのを長手方向で規制する金属製の開き防止具４が設けてあり、開き防止具４は、見込壁と見込壁を支持する支持脚を有する。【選択図】      図１
2018105121.tif 000002
【特許請求の範囲】
【請求項１】
サッシ枠と、サッシ枠の縦枠同士を連結する方立とを備え、縦枠と方立とは、互いに係合する爪を有し、縦枠が方立に係合しており、方立と縦枠の間には、縦枠が方立との係合が解除する方向に移動するのを長手方向で規制する金属製の開き防止具が設けてあり、開き防止具は、見込壁と見込壁を支持する支持脚を有することを特徴とする建具。
【発明の詳細な説明】
【技術分野】
【０００１】
本発明は、隣接するサッシ枠の縦枠同士を方立で連結した建具に関する。
【背景技術】
【０００２】
ビル等の窓では、複数の窓枠の縦枠同士を方立で連結し、連窓としたものがある。このような窓では、火災時に縦枠や方立が火災の熱で変形したり溶融したりするのに伴って、縦枠と方立との間に隙間ができ、その隙間を通じて火炎や煙等が室内外を連通するおそれがある。
【発明の概要】
【発明が解決しようとする課題】
【０００３】
本発明は以上に述べた実情に鑑み、縦枠同士を方立で連結した建具の防火性能の向上を目的とする。
【課題を解決するための手段】
【０００４】
上記の課題を達成するために請求項１記載の発明による建具は、サッシ枠と、サッシ枠の縦枠同士を連結する方立とを備え、縦枠と方立とは、互いに係合する爪を有し、縦枠が方立に係合しており、方立と縦枠の間には、縦枠が方立との係合が解除する方向に移動するのを長手方向で規制する金属製の開き防止具が設けてあり、開き防止具は、見込壁と見込壁を支持する支持脚を有することを特徴とする。
【発明の効果】
【０００５】
請求項１記載の発明による建具は、縦枠と方立とは、互いに係合する爪を有し、縦枠が方立に係合しており、方立と縦枠の間には、縦枠が方立との係合が解除する方向に移動するのを長手方向で規制する金属製の開き防止具が設けてあることで、火災時に縦枠と方立間の隙間の発生を抑制し、火炎や煙の連通を防止できるので、防火性能が向上する。開き防止具は、見込壁と見込壁を支持する支持脚を有することで、開き防止具が取付けしやすい上に、開き防止具の取付強度を増すことができる。
【図面の簡単な説明】
【０００６】
【図１】本発明の建具の第１実施形態を示す横断面図（図４のＡ−Ａ断面）である。
【図２】本発明の建具の第２実施形態を示す横断面図（図４のＡ−Ａ断面）である。
【図３】本発明の建具の第３実施形態を示す横断面図（図４のＡ−Ａ断面）である。
【図４】本発明の一実施形態に係る建具の室内側正面図である。
【発明を実施するための形態】
【０００７】
以下、本発明の実施の形態を図面に基づいて説明する。図１，４は、本発明の建具の第１実施形態を示している。この建具は、ビルの窓に用いられるものであって、図４に示すように、左右に隣接して配置されたサッシ枠１，１の縦枠２，２同士を方立３で連結し、連窓にしたものである。
各サッシ枠１には、図１に示すように、室内側から複層ガラス１１を嵌め込み、室内側に押縁１２を取付け、サッシ枠１の室外側のガラス保持片１３及び室内側の押縁１２と複層ガラス１１との間に、バックアップ材１４とシール材１５を装填して複層ガラス１１を固定してあり、いわゆる嵌め殺し窓となっている。
サッシ枠１の縦枠２は、アルミニウム合金の押出形材よりなり、図１に示すように、外周側が開放した略コ字状断面となっており、縦枠２の室外側縁部１６は室内側に向けて鉤状に曲がった形に形成され、縦枠２の室内側縁部１７は室外側に向けて鉤状に曲がった形に形成されている。
【０００８】
方立３は、図１に示すように、方立本体２３と目板５と目板カバー２４とで構成されている。方立本体２３は、アルミニウム合金の押出形材よりなり、室外側及び室内側の見付壁１９，２０と一対の見込み壁２１，２１とからなる見込み方向に長い矩形断面の中空部２２を有している。室外側の見付壁１９は、見込み壁２１，２１よりも側方に張り出している。一対の見込み壁２１，２１の室外側寄りの位置には、室外側に向けて鉤状に曲がった爪６が長手方向に沿って設けてある。また、一対の見込み壁２１，２１の室内側端部寄りの位置には、突部７が長手方向に沿って設けてある。突部７の先端部には、縦枠２の室内側縁部１７が係止する係止部２５を有する。方立本体２３の室内側面２６は、フラットに形成されている。
目板５は、方立３の略全長に亘って設けられるものであって、アルミニウム合金の押出形材よりなり、方立本体２３の室内側の見付壁２０と略同じ横幅を有する取付板部２７と、取付板部２７の左右端部より室内側に若干オフセットして側方にのびる縦枠支持部３４，３４とを有し、左右の縦枠２，２及び方立本体２３の室内側面に跨って配置してある。目板５は、全体が方立本体２３より肉厚に形成してある。取付板部２７は、室外側面２８がフラットになっており、この面２８を方立本体２３の室内側面２６と面接触させ、室内側からのネジ２９で固定してある。
目板カバー２４は、アルミ又は樹脂の押出形材よりなり、室外側が開放した略コ字状断面に形成され、左右の側壁に形成された係止部３０，３０を目板５の側縁部に室内側から弾発的に係止させて取付けられ、目板５を室内側から被っている。
【０００９】
縦枠２は、図１に示すように、室外側縁部１６が方立本体２３の見込み壁２１に形成された爪６に室外側から係合している。方立本体２３の見込み壁２１の室外側端部には、金属製の断面コ字状の長尺材よりなる開き防止具４が長手方向の略全長に亘って配置してある。この開き防止具４は、方立本体２３の室外側の見付壁１９の張り出し部分１９ａと縦枠２の室外側面間の隙間に、当て木を当てて打ち込んで取付けてあり、方立本体２３の室外側の見付壁１９の張り出し部分１９ａと縦枠２の室外側面との間に介在している。この開き防止具４がクサビとなり、縦枠２が方立本体２３との係合が解除する方向（室外側）に移動するのを長手方向で規制している。さらに、方立本体２３の室外側の見付壁１９の張り出し部分１９ａと縦枠２の室外側面との間には、耐火性のバックアップ材３２を挿入した上でシール材３３を充填し、雨水の浸入を防いでいる。縦枠２の室内側縁部１７は、方立本体２３の見込み壁２１に長手方向に設けた突部７と目板５の縦枠支持部３４とで挟み込まれている。
【００１０】
以上に述べたように本実施形態の建具は、縦枠２の室外側縁部１６が方立本体２３の爪６に室外側から係合し、方立本体２３の見込み壁２１に縦枠２が方立本体２３との係合が解除する方向（室外側）に移動するのを長手方向で規制する開き防止具４が設けてあることで、火災時に縦枠２と方立３間の隙間の発生を抑制し、火炎や煙の連通を防止できるので、防火性能が向上する。
本実施形態によれば、開き防止具４を方立本体２３にネジ止めする必要がないため、施工性が向上する。また開き防止具４は、方立３と縦枠２間に隙間なく嵌め込んだだけでネジ止めしてないので、方立３や縦枠２が熱伸びしたときに熱伸びを吸収することができ、開き防止具４と方立３及び縦枠２間に隙間が生ずるのを防止できる。
【００１１】
また本実施形態の建具は、縦枠２が方立３と係合しており、目板５は、方立３の略全長に亘って設けてあり、左右の縦枠２，２及び方立３（方立本体２３）の室内側面に跨って配置してあり、方立３の突部７と目板５とで縦枠２の室内側縁部１７を挟み込んでいることで、縦枠２が見込み方向に移動して方立本体２３との係合が外れるのをより一層確実に防止できると共に、縦枠２の室内側縁部１７と方立３間に隙間が開くことも防止できるため、縦枠２と方立３間からの火炎や煙の連通を防止し、防火性能を向上できる。
また、方立本体２３の室内側面２６と目板５の室外側面２８とが面接触していることで、火災時に目板５が熱せられたときに熱を方立３側に効率よく逃がすことができるため、目板５の溶融や変形を抑えられる。
【００１２】
図２は、本発明の建具の第２実施形態を示している。この実施形態では、方立本体２３の見込み壁２１の室外側端部に凹部３６が形成してあり、開き防止具４はアルミ合金の押出形材よりなるが断面コ字状の長尺材となっており、この開き防止具４は、一対の係止爪３７，３７を凹部３６の入口部に形成した突起３８，３８に弾発的に係止させて取付けている。それ以外の点は、第１実施形態と同様である。
本実施形態によれば、第１実施形態と同様に、開き防止具４を方立本体２３にネジ止めする必要がないため、施工性が向上する。また開き防止具４は、方立３と縦枠２間に隙間なく嵌め込んだだけでネジ止めしてないので、方立３や縦枠２が熱伸びしたときに熱伸びを吸収することができ、開き防止具４と方立３及び縦枠２間に隙間が生ずるのを防止できる。
【００１３】
図３は、本発明の建具の第３実施形態を示している。この実施形態では、方立本体２３の見込み壁２１の室外側端部に凹部３６が形成してあり、開き防止具４はアルミ合金の押出形材よりなり、凹部３６入口側の突起３８に弾発的に係止する一対の係止片３７，３７と、気密材保持部３９とを有し、気密材保持部３９に気密材４０を取付けている。それ以外の点は、第１実施形態と同様である。
本実施形態によれば、第１，２実施形態と同様に、開き防止具４を方立本体２３にネジ止めする必要がない上、シール材３３を打設する手間も不要なため、施工性がさらに向上する。
【００１４】
方立３は、方立本体２３とカバーとからなり、目板５を有しないものであってもよい。この場合、方立本体２３は、第１実施形態のものと同様に、見込み方向に長い矩形断面の中空部２２を有する中空形材とし、室内側端部に左右の縦枠２，２との隙間を隠す張り出し部（目板５の縦枠支持部３４，３４に相当する）を一体に設け、その張り出し部を縦枠２に室内側からのネジで固定する。カバーは、左右の張り出し部の先端に室内側から係止して取付け、ネジを隠す。
【００１５】
このように張り出し部を方立本体２３に一体に設けることで、別体の目板５を取付けた場合よりも、張り出し部と方立本体２３の見込み壁２１，２１間の熱伝導性が優れており、しかも方立本体２３は中空部２２を有する形材で見込み壁２１，２１が一対設けられ、尚且つ室外側端部が縦枠２より室外側に張り出していることにより、加熱面側から非加熱面側への放熱（例えば、室内で火災が発生した場合には、室内側から室外側への放熱）が促進され、方立３や縦枠２の溶融や変形を抑制できるので、防火性能が向上する。
【００１６】
また、方立本体２３は室内側端部の張り出し部より室外側に離間した見込み壁２１，２１上に突部７を長手方向に沿って設け、縦枠２の室内側縁部１７を張り出し部と突部７間に保持した上で室内側からのネジで方立本体２３の張り出し部に固定することができる。
本実施形態によれば、室外側の開き防止具４に加え、室内側でも縦枠２が室外側に移動して係合が解除されるのを防止するため、防火性能がより一層向上する。
【００１７】
本発明は以上に述べた実施形態に限定されない。縦枠及び方立の断面形状は、適宜変更することができる。開き防止具の材質や断面形状は、適宜変更することができる。開き防止具を設ける位置は、適宜変更することができ、縦枠に固定して設けることもできる。本発明の建具は、実施形態のような嵌め殺し窓に限らず、サッシ枠内に２枚の障子を引違い状に開閉自在に収めた引違い窓や、サッシ枠内に１枚の障子をすべり出し式に開閉自在に収めたすべり出し窓等に適用することもできる。
【符号の説明】
【００１８】
１  サッシ枠
２  縦枠
３  方立
４  開き防止具
５  目板
６  爪
７  突部
１６  縦枠の室外側縁部（爪）
２３  方立本体（方立）
【図１】
2018105121.tif 000003
【図２】
2018105121.tif 000004
【図３】
2018105121.tif 000005
【図４】
2018105121.tif 000006